(57)【特許請求の範囲】
【請求項１】
鉄心を積層して形成されるとともに磁極を有する積層鉄心と、挿通孔を有する巻枠部、この巻枠部の両端に互いに対向して形成された鍔部からなり前記挿通孔に前記磁極を挿入して積層鉄心に装着されるコイルボビンと、このコイルボビンの巻枠部に巻装されたコイル巻線からなる励磁コイルとからなり本体ケースに収納される励磁部と、この励磁部の励磁コイルに励磁電流を供給することにより駆動される駆動部とを備えた電磁機器において、前記コイルボビンの一方の鍔部にこの鍔部の周縁に形成した開口に連通し前記コイル巻線に接続されたリード線を係止する係止溝を形成し、他方の鍔部の巻枠部側との反対側にコイル巻線の端部を接続する接続端子を取り付ける端子取付部を設けたことを特徴とする電磁機器。
【請求項２】
請求項１の発明において、前記コイルボビンの他方の鍔部の巻枠部側との反対側の側壁に、前記両端子取付部の略中間部の部位を挿入口とした一対のリード線係止部材を設けたことを特徴とする電磁機器。
【請求項３】
請求項１又は請求項２の発明において、二つのコイルボビンを係止溝を設けた鍔部を互いに対向させて積層鉄心に装着するとともに、前記一方の鍔部の周縁に形成した開口を前記挿通孔の軸方向に沿う同一直線上に位置させない位置関係として形成したことを特徴とする電磁機器。
【請求項４】
本体ケース内にダイヤフラムを設けた圧縮室と鉄心収納室を形成し、前記本体ケース内に、一対の積層鉄心、コイルボビン、及び励磁コイルを備える励磁部と、前記積層鉄心の両磁極間に配設される永久磁石を備えた振動子からなる駆動部とを配設し、前記駆動部の少なくとも一端部を前記ダイヤフラムに取着し、前記励磁コイルに励磁電流を供給して前記振動子を往復振動させて前記ダイヤフラムを駆動する電磁式ポンプであって、前記励磁部及び駆動部が、請求項１ないし請求項３の内のいずれか１項に記載の電磁機器をなしていることを特徴とする電磁式ポンプ。
【発明の詳細な説明】
【０００１】
【発明の属する技術分野】
この発明は、積層鉄心に励磁コイルを装着した励磁部とこの励磁部によって駆動される駆動部とを有する電磁式ポンプ、あるいは電磁弁等の電磁機器に関する。
【０００２】
【従来の技術】
従来、積層鉄心に励磁コイルを装着した励磁部とこの励磁部によって駆動される駆動部とを有する電磁ポンプあるいは電磁弁等、電磁力よって動作する電磁機器は広く知られている。そして、これら電磁機器には、前記励磁部をＥ型あるいはＩ型形状に打ち抜いた磁極片を有する板状の磁性材料からなる鉄心を積層して磁極を形成した積層鉄心、挿通孔を有する巻枠部この巻枠部の両端に互いに対向して形成された鍔部からなり前記磁極に装着されるコイルボビン（以下単にボビンという）、ボビンの巻枠部に巻装されたコイル巻線からなる励磁コイルとで構成し、また、駆動部を磁性材からなる作動部材あるいは非磁性材からなる作動部材に永久磁石を取着して形成した振動子等のアクチュエータで構成し、そして、前記励磁コイルに励磁電流つまり駆動電流を供給することにより駆動部つまりアクチュエータを駆動し、このアクチュエータを介してダイヤフラムあるいは弁部材を駆動するように構成されているもの、および蛍光灯を用いた照明器具の点灯装置における安定器のように磁路つまり磁極を有する積層鉄心、挿通孔を有する巻枠部この巻枠部の両端に互いに対向して形成された鍔部からなり前記磁極に装着されるボビン、ボビンの巻枠部に巻装された一次巻線と二次巻線とで構成され、駆動部を有しないもの等がある。
【０００３】
そして、前記ボビンは、巻枠部に励磁コイルまたは一次巻線と二次巻線（励磁コイルおよび一次巻線と二次巻線を総称して励磁コイルという）を巻装して積層鉄心の磁極に装着されるものであるが、この巻枠部に巻装された励磁コイルの巻線端部あるいはこの巻線端部に接続されたリード線を容易にしかも確実に配線処理することは、ボビンが取着された状態の積層鉄心の組立時における取扱い、絶縁処理の作業性および小型化したケース内への収納等において極めて重要な事項である。
【０００４】
ここで、上記従来の電磁機器のボビンに巻装したコイルの配線処理の一例を、ダイヤフラムに取着した駆動部としての振動子を、磁極片を有する鉄心を積層して形成した一対の積層鉄心、この積層鉄心に装着されるボビン、このボビンに巻装された励磁コイルとからなる励磁部によって往復動つまり振動させ、この振動子の振動によってダイヤフラムを往復動させて流体（気体・液体）を吸入・吐出させるようにした電磁式ポンプを例として図９ないし図１１に基づいて説明する。
【０００５】
図９に示すように電磁式ポンプの本体筐体１００は、主筐体１１０と図示しない例えばねじ等の取付手段によって、この主筐体１１０の図において左右に取り付けられた吸入室１３１と圧縮室１３２を設けた一対の副筐体１３０とから構成されている。そして、前記主筐体１１０は図において両端側に開口１１１が形成されるとともに内部には鉄心収納室１１５が形成され、この鉄心収納室１１５にはＥ型コアーを積層して形成された、一対の積層鉄心１１２、１１２がそれぞれの磁極の先端部を所定間隙Ｇを形成するように互いに離間対向させて取付部１１２ａ等に設けた取付孔を介してねじ１３４によって取り付けられて配設されており、また、前記積層鉄心１１２、１１２の中央脚つまり磁極１１２ｂは後述する巻回されたコイル巻線２１１からなる励磁コイル２１０が巻装されたボビン２００が装着されている。
【０００６】
主筐体１１０には吸気口１１３が形成され、また、前述したように主筐体１１０には前記開口１１１を覆って前記副筐体１３０が取り付けられており、前記開口１１１にはダイヤフラム１４０がその外周縁を前記主筐体１１０と前記副筐体１３０によって挾持されて取り付けられている。前記ダイヤフラム１４０の中央部には、ダイヤフラム１４０を挾持する一対のプレート１４１、１４１からなる固定プレート１４２が取り付けられ、この固定プレート１４２の中心部にはねじ孔が形成されており、このねじ孔に一対の永久磁石１５２が取り付けられた駆動部である振動子１５０の両端に設けた支軸１５１のねじを螺合して取り付けられている。そして、前記振動子１５０が支軸１５１、１５１を固定プレート１４２に螺合してダイヤフラム１４０に取り付けられた状態では、前記永久磁石１５２、１５２は前記一対の積層鉄心１１２、１１２の磁極間に形成された前記間隙Ｇ内に位置するようになっている。
【０００７】
そして、前記励磁コイル２１０に駆動電流である交流電流が供給されると前記振動子１５０は図９において左右方向に振動して前記ダイヤフラム１４０を振幅動作させるようになっている。つまり励磁コイル２１０に励磁電流つまり駆動電流が供給されると、この駆動電流によって発生する交番磁界が前記振動子１５０に設けた永久磁石１５２に作用し両者の間に働く電磁力によって、振動子１５０は図９において左右方向に往復振動し、この往復振動によって前記ダイヤフラム１４０が左右方向に往復動し、この往復動によって前記吸気口１１３から吸入された空気等の流体は前記吸入室１３１、圧縮室１３２、吐出室１３３を経て吐出口１３３ａから排出されるものである。
【０００８】
そして、ボビン２００の構成およびボビン２００に巻装した励磁コイル２１０の配線処理は、図１０および図１１に示すようにしてなされている。つまりボビン２００は、図１０に示すように内部に挿通孔２０１を形成するように断面方形状の周壁からなる巻枠部２０２と、この巻枠部２０２の両端部にそれぞれ形成した方形状の鍔部２０３および２０４とから構成されるとともに、前記鍔部２０４の外側（つまり巻枠部２０２側と反対側）の壁面に後述する接続端子２０７を挿入して取着する挿入穴２０５ａを有する一対の端子取付部２０５ｂ、２０５ｃが設けられている。そして、図１１に示すように、このボビン２００の前記巻枠部２０２にコイル巻線２１１を所定回数巻いて励磁コイル２１０を巻装するとともに、前記コイル巻線２１１の巻き始め端部２１１ａと巻き終り端部２１１ｂは後述するリード線２２１ないし２２３に接続された前記接続端子２０７に接続されている。
【０００９】
そして、このように励磁コイル２１０が巻装されたボビン２００をその挿入孔２０１に積層鉄心１１２、１１２の互いに対向する磁極１１２ｂ、１１２ｂを挿入して取り付けるものである。そして、両ボビン２００を両磁極１１２ｂ、１１２ｂに取り付けて積層鉄心１１２に装着した後、図１１に示すように（なお、図１１においては両積層鉄心１１２、１１２は省略してある）リード線２２１の両端とコイル巻線２１１の両巻き始め端部２１１ａとを前記接続端子２０７、２０７によって接続し、この接続端子２０７、２０７を両ボビン２００のそれぞれの端子取付部２０５ｂ、２０５ｂの前記挿入穴２０５ａに挿入する。また、それぞれのリード線２２２および２２３の一端と両コイル巻線２１１の両巻き終り端部２１１ｂとをそれぞれ接続端子２０７によって接続し、これら接続端子２０７を両ボビン２００、２００の端子接続部２０５ｃ、２０５ｃの挿入穴２０５ａ、２０５ａに挿入する。
【００１０】
そして、前記リード線２２１、２２２および２２３は結束バンド２２４に束ねて纏めてられて両ボビン２００の外周に可能な限り近接させて配置、あるいは図示しないが結束バンド２２４に束ねて纏めるとともに接着テープ等により励磁コイル２１０の外周面等に取り付けて配置する等して配線処理するとともに、前記リード線２２２および２２３の他端側は図示しないが前記主筐体１１０に形成した引出孔から外部に引き出されるようになっているものである。
【００１１】
ところで、上記のように各リード線２２１ないし２２３を結束バンド２２４で結束して配線処理する方法、あるいは結束バンド２２４で結束した後接着テープ等により励磁コイル２１０の外周面等に取り付けて配線処理する方法では、各リード線２２１ないし２２３を結束バンド２２４で結束しなければならないため、配線処理等の組立工数が増加するとともにボビン２００の鍔部２０４の外周縁から各リード線２２１ないし２２３が突出するため主筐体１１０への組み込み作業中にリード線２２１ないし２２３が主筐体１１０の内壁等に引っ掛かる等するために作業性が悪く、また、接着テープ等で励磁コイル２１０の外周面等に取り付ける方法では、各リード線２２１ないし２２３を結束バンド２２４で結束するとともに接着テープ等で貼り付けなければならいことから、さらに配線処理等の組立工数が増加することに加えて、組立作業中に場合によっては接着テープが剥がれてしまうという事態が生じる虞がある。
【００１２】
また、外部に引き出されるリード線２２２および２２３の他端は自由端となっていることから、この自由端が動くと前記接続端子２０７部に外力が加わり場合によっては接続端子２０７が挿入穴２０５ａから離脱する等の事態が生じ、このことはリード線２２１ないし２２３とコイル巻線２２１の端部を半田付けにより接続されている場合はこの接続部で断線するという事態が生じる。
【００１３】
【発明が解決しようとする課題】
上記のように従来の配線処理方法は、第一には各リード線２２１ないし２２３を結束バンド２２４で結束して配線処理する方法、あるいは結束バンド  ２２４で結束した後接着テープ等によりコイル２２１の周面等に取り付けて配線処理する方法では、配線処理工数を含む組立工数が増加する等の問題があり、また、第二にはボビン２００の鍔部２０４の外周縁から各リード線２２１ないし２２３が突出しているために、筐体すなわち本体ケースの狭いスペースに組み込む際にリード線が本体ケースの内壁等に引っ掛かる等して作業性が悪く、また、前記リード線２２１ないし２２３が引っ掛かる等に起因してリード線を介して接続端子との接続部に応力が加わり場合によっては接続部が破損してしまうという問題があり、また、第三には外部に引き出されるリード線２２２および２２３の他端は自由端となっていることから、この自由端の動きに起因して接続端子２０７部に外力が加わり場合によっては接続端子２０７が挿入穴２０５ａから離脱する等して接続部が破損する等が発生するという問題がある。
【００１４】
また、上記電磁式ポンプ以外の電磁弁等の電磁機器におけるコイルに接続されるリード線の配線処理も具体的構造は異なるものの基本的構造はほぼ同じものであることから、上記電磁式ポンプの場合と同様の問題を有するものである。
【００１５】
【課題を解決するための手段】
この発明は上記事情に鑑みてなされたものであり、請求項１記載の発明は、上記第一および第二の課題を解決するもので、鉄心を積層して形成されるとともに磁極を有する積層鉄心と、挿通孔を有する巻枠部、この巻枠部の両端に互いに対向して形成された鍔部からなり前記挿通孔に前記磁極を挿入して積層鉄心に装着されるコイルボビンと、このコイルボビンの巻枠部に巻装されたコイル巻線からなる励磁コイルとからなり本体ケースに収納される励磁部と、この励磁部の励磁コイルに励磁電流を供給することにより駆動される駆動部とを備えた電磁機器において、前記コイルボビンの一方の鍔部にこの鍔部の周縁に形成した開口に連通し前記コイル巻線に接続されたリード線を係止する係止溝を形成し、他方の鍔部の巻枠部側との反対側にコイル巻線の端部を接続する接続端子を取り付ける端子取付部を設けたことを特徴とする電磁機器としたものである。
【００１８】
このように構成した請求項１記載の発明は、コイルボビンの一方の鍔部に、周縁に形成した開口に連通する係止溝を形成し、他方の鍔部にコイル巻線の端部を接続する接続端子を取り付ける端子取付部を設け、前記係止溝にコイル巻線に接続されたリード線を係止するとともに、このリード線と接続された接続端子を端子取付部に取り付けることによりリード線の配線処理をするようにしたことから、リード線の配線処理が容易となり配線処理工数を含む組立工数の低減が図れ、また、リード線がボビンの鍔部の外周縁から突出することがないため、組み立て時にリード線が筐体の内壁等に引っ掛かることはなく組立時の作業性の向上が図られるとともに、リード線を介して接続端子の接続部に応力が加わることに起因するリード線と接続端子との接続部の破損等を防止できるという作用を有するものである。
【００１９】
また、請求項２記載の発明は上記第一なしい第三の課題を解決するもので、請求項１の発明において、前記コイルボビンの他方の鍔部の巻枠部側との反対側の側壁に、前記両端子取付部の略中間部の部位を挿入口とした一対のリード線係止部材を設けた電磁機器としたものである。
【００２０】
このように構成した請求項２記載の発明は、請求項１記載の発明にの作用に加えて、コイルボビンの他方の鍔部の側壁に、前記両端子取付部の略中間部の部位を挿入口とした一対のリード線係止部材を設け、このリード線係止片にリード線の自由端側を係止するようにしたことから、前記自由端が所定以上に動くことに起因してリード線を介して接続端子への外力が加わることを防止して接続端子の端子取付部からの離脱あるいはリード線と接続端子との接続部の破損等の発生を防止できるという作用を有するものである。
【００２１】
また、請求項３記載の発明は、２個のボビンを直線的な位置関係に配置した場合において、上記第一ないし第三の課題を解決するもので、請求項１又は請求項２の発明において、二つのコイルボビンを係止溝を設けた鍔部を互いに対向させて積層鉄心の磁極を挿入して装着するとともに、前記鍔部の周縁に形成した開口を前記挿通孔の軸方向に沿う同一直線上に位置させない位置関係として形成した電磁機器としたものである。
【００２２】
このように構成した請求項３記載の発明は、請求項１又は請求項２記載のそれぞれの発明の作用に加えて、鍔部の周縁に形成した開口を前記挿通孔の軸方向に沿う同一直線上に位置させない位置関係として形成したことから、係止溝に挿入されて係止されたリード線の前記各開口からの離脱を確実に防止して係止溝への係止状態を確実に維持できるという作用を有するものである。
【００２３】
また、請求項４記載の発明は、電磁機器を電磁式ポンプとした場合における上記第一ないし第３の課題を解決するもので、本体ケース内にダイヤフラムを設けた圧縮室と鉄心収納室を形成し、前記本体ケース内に、一対の積層鉄心、コイルボビン、及び励磁コイルを備える励磁部と、前記積層鉄心の両磁極間に配設される永久磁石を備えた振動子からなる駆動部とを配設し、前記駆動部の少なくとも一端部を前記ダイヤフラムに取着し、前記励磁コイルに励磁電流を供給して前記振動子を往復振動させて前記ダイヤフラムを駆動する電磁式ポンプであって、前記励磁部及び駆動部が、請求項１ないし請求項３の内のいずれか１項に記載の電磁機器をなしていることを特徴とする電磁式ポンプとしたものである。
【００２４】
このように構成した請求項４記載の発明は、電磁機器である電磁式ポンプにおいて、請求項１ないし請求項３記載のそれぞれの発明の作用に加えて、一対の積層鉄心の離間している磁極にそれぞれ装着されて互いに離間しているコイルボビン間におけるリード線を所定の状態に容易かつ確実に配線処理できるという作用を有するものである。
【００２５】
【発明の実施の形態】
つぎに、この発明を電磁機器としての電磁式ポンプに適用した場合の実施の形態を図１および図７に基づいて説明する。
【００２６】
図１は電磁式ポンプＡを取付台２に緩衝体３を介して取り付けた状態を示す斜示図である。そして、図２および図３等に示すように、電磁式ポンプＡは、本体ケース１を構成する主ケース１０と、この主ケース１０の図において左右に設けられた後述する吸入室４１、圧縮室４２、吐出室４３等を設けた一対の副ケース４０、前記主ケース１０内に配設される積層鉄心５０、この積層鉄心５０に取着されるボビン６０、このボビン６０に巻装された励磁コイル７０および、駆動部としての振動子８０等から構成されている。なお、前記積層鉄心５０、ボビン６０、励磁コイル７０は励磁部を構成するものである。
【００２７】
そして、前記主ケース１０は、図１ないし図３に示すように左側に位置する一方側ケース（以下左ケースという）２０と右側に位置する他方側ケース（以下右ケースという）３０から構成されるとともに複数（図１では１個のみ図示）ねじ５ａによって一体に結合されている。
【００２８】
そして、前記左ケース２０は、図１ないし図３に示すように上側壁２０ａ、下側壁２０ｂ、側壁２０ｃ、２０ｄとで囲まれるとともに底壁２０ｅを有し一端側を開口２０ｇした略正方形状の有底角筒状に形成されている。
【００２９】
そして、前記底壁２０ｅにはこの底壁２０ｅと一体に形成されるとともに前記上側壁２０ａおよび下側壁２０ｂと平行に形成された第一の隔壁２２が設けられており、この第一の隔壁２２と前記上側壁２０ａ、側壁２０ｃ、２０ｄおよび底壁２０ｅとで鉄心収納室９０の一方側９０ａが形成されている。また、前記底壁２０ｅには前記第一の隔壁２２の下方に位置して第二の隔壁２３が前記第一の隔壁２２と平行に設けられており、この第二の隔壁２３と前記第一の隔壁２２、側壁２０ｃ、側壁２０ｄおよび底壁２０ｅによって、吐出される流体の脈流を低減するためのタンク室９１の一方側９１ａが形成されている。
【００３０】
また、前記鉄心収納室９０の一方側９０ａに対応する底壁２０ｅには円形状の開口２０ｆが形成され、この開口２０ｆの周囲には環状溝２１が形成されており、この底壁２０ｅの前記開口２０ｆの近傍には前記タンク室９１に連通する連通孔２４が形成され、この連通孔２４の孔縁には図２において左側に突出した環状の嵌合壁２４ａが形成されている。また、前記鉄心収納室９０の一方側９０ａの図において上方には前記開口２０ｆの外周近傍に位置して連通孔２５が形成されている。また、左ケース２０の側壁２０ｃには図１示すように、前記タンク室９１に連通する吐出口２６が設けられ、この吐出口２６には図１に二点鎖線で示され流体を供給する供給チューブ２６ａが接続されるようになっている。また、側壁２０ｃには図１、図２に示すように流体を取り込む吸入口２７が形成されており、この吸入口２７は図示しないが後に詳述する前記吸気室４１に連通しているものである。
【００３１】
つぎに、前記右ケース３０は、図１ないし図３に示すように上側壁３０ａ、下側壁３０ｂ、側壁３０ｃ、３０ｄとで囲まれるとともに底壁３０ｅを有し一端側を開口３０ｇした略正方形状の有底角筒状に形成されている。
【００３２】
そして、前記底壁３０ｅにはこの底壁３０ｅと一体に形成されるとともに前記上側壁３０ａおよび下側壁３０ｂと平行に形成された第一の隔壁３２が設けられており、この第一の隔壁３２の先端は前記左ケース２０に形成した第一の隔壁２２の先端と当接する位置関係となっている。そして、前記第一の隔壁３２と前記上側壁３０ａ、側壁３０ｃ、３０ｄおよび底壁３０ｅとで前記鉄心収納室９０の他方側９０ｂが形成され、この他方側９０ｂと前記左ケース２０に形成された鉄心収納室９０の一方側９０ａとによって鉄心収納室９０を形成するようになっている。
【００３３】
また、前記底壁３０ｅには前記第一の隔壁３２の下方に位置して第二の隔壁  ３３が前記第一の隔壁３２と平行に設けられており、この第一の隔壁３２の先端は前記左ケース２０に形成した第二の隔壁２３の先端と当接する位置関係となっている。そして、前記第二の隔壁３３と前記第一の隔壁３２、側壁３０ｃ、側壁３０ｄおよび底壁３０ｅによって、吐出される流体の脈流を低減するためのタンク室９１の他方側９１ｂが形成され、この他方側９１ｂと前記左ケース２０に形成したタンク室９１の一方側９０ａとによってタンク室９１を形成するようになっている。
【００３４】
また、前記鉄心収納室９０の他方側９０ｂに対応する底壁３０ｅには円形状の開口３０ｆが形成され、この開口３０ｆの周囲には環状溝３１が形成されており、この底壁３０ｅの前記開口３０ｆの近傍には前記タンク室９１に連通する連通孔３４が形成され、この連通孔３４の孔縁には図２において左側に突出した環状の嵌合壁３４ａが形成されている。また、前記鉄心収納室９０の他方側９０ｂの図において上方には前記開口３０ｆの外周近傍に位置して連通孔３５が形成されている。そして、この連通孔３５と前記左ケース１０に設けた連通孔２５とは鉄心収納室９０を介して連通しているものである。
【００３５】
そして、上記のように構成された左ケース２０と右ケース３０とは前記開口２０ｇおよび３０ｇの開口縁を当接して前述したように複数のねじ５ａによって一体に結合されものである。そして、両ケース２０および３０を結合した状態では前述したように、鉄心収納室９０の一方側９０ａと他方側９０ｂとによって鉄心収納室９０が形成され、また、タンク室９１の一方側９１ａと他方側９１ｂとによってタンク室９１が形成されるものである。そして、前記鉄心収納室９０には後に詳述する前記積層鉄心５０が収納して取り付けられるようになっている。
【００３６】
つぎに、前記主ケース１０の左右両側に設けられる副ケース４０、４０について説明する。この両副ケース４０は同一の構成となっていることから一方つまり図において右側の副ケース４０のみについて説明し、左側の副ケース４０については右側の副ケース４０と同一部分に同一符号を付しその説明は省略する。
【００３７】
図１および図２に示すように副ケース４０は内側に前記主ケース１０つまり右側ケース３０の開口３０ｆ（左ケース２０の場合は開口２０ｆ）に対応させてこの開口３０ｆと同じ大きさの開口４４ａを形成する環状壁４４ｂと底壁４４ｃとからなる有底筒状部４４と、前記開口４４ａの開口縁に形成された方形状のフランジ部４５とから構成されている。そして、このフランジ部４５を前記右ケース３０の底壁３０ｅに４個のねじ５ｂによって取り付けられている。そして、この副ケース４０を右ケース３０の底壁３０ｅに取り付ける際に、右ケース３０の開口３０ｆ（左ケース２０の場合は開口２０ｆ）の開口縁近傍に形成された前記嵌合溝３１（左ケース２０の場合嵌合溝２１）に外周部に形成された嵌合リブ９６ａを嵌合して開口３０ｆに取り付けられた後述するダイヤフラム９５の外側縁部を、前記開口３０ｆ（左ケース２０の場合は開口２０ｆ）の開口縁と前記フランジ部４５とで挟持して、前記ダイヤフラム９５を前記開口３０ｆ（左ケース２０の場合は開口２０ｆ）に固定して取してり付けるようになっている。
【００３８】
また、前記有底筒状部４４の底壁４４ｃの中央部には、外側に突出した円形状の突出部４６が形成され、この突出部４６の内側には前記底壁４４ｃに開口した円形の凹部４６ａが形成されている。この凹部４６ａは後述する振動子８９の支持軸８３の先端が振動の際に底壁３０ｅ（左ケース２０の場合は底壁２０ｅ）に当らないようにするためのものである。
【００３９】
また、前記有底筒状部４４の外側には前記フランジ部４５と底壁４４ｃとに亘って形成された略細長円形状周壁４７と蓋体４７ａとによって囲まれ、図２に示すように断面Ｌ字状の空間とした吸気室４１が設けられており、また、同様に前記フランジ部４５と底壁４４ｃとに亘って形成された略細長円形状周壁４８と蓋体４８ａとによって囲まれ、図２に示すように断面Ｌ字状の空間とした吐出室  ４３が設けられている。また、前記有底筒状部４４の内部には環状壁４４ｂ、底壁４４ｃおよびダイヤフラム９５によって囲まれて圧縮室４２が形成形成されている。
【００４０】
また、前記吸気室４１および吐出室４３には、それぞれ右ケース３０に設けた連通孔３４および３５（左ケース２０の場合は連通孔２４および２５）に連通する連通孔４５ａおよび４５ｂが設けられている。
【００４１】
そして、前記吸気室４１と前記圧縮室４２とを区画している有底筒状部４４の底壁４４ｃには貫通孔４１ａが設けられており、この貫通孔４１ａには前記底壁４４ｃの内側つまり圧縮室４２側に位置して常時は貫通孔４１ａを閉塞している弾性部材からなる開閉弁４１ｂが設けられている。また、前記吐出室４３と前記圧縮室４２とを区画している有底筒状部４４の底壁４４ｃには貫通孔４３ａが設けられており、この貫通孔４３ａには前記底壁４４ｃの外側つまり吐出室４３側に位置して常時は貫通孔４３ａを閉塞している弾性部材からなる開閉弁４３ｂが設けられている。
【００４２】
つぎに、前記鉄心収納室９０に収納される積層鉄心５０について説明する。
【００４３】
この積層鉄心５０は、ヨーク部５１ａとこのヨーク部５１ａに一体に形成された中央磁極５１ｂ、中央磁極５１ｂの両側に位置する側磁極５１ｃ、５１ｃからなるＥ型鉄心を積層し、図示しないが溶接あるいはリベット等により固着して形成されている。また、前記Ｅ型鉄心のヨーク部５１ａと側磁極５１ｃ、５１ｃとの境界部には側方に突出した係合凸部５２が形成されている。
【００４４】
そして、前記積層鉄心５０の中央磁極５１ｂには励磁コイル７０が巻装された後に詳述するボビン６０が装着されており、こられ積層鉄心５０、励磁コイル７０および励磁コイル７０が巻装されたボビン６０とで前述したように励磁部を構成しているものである。
【００４５】
また、励磁コイル７０が巻装されたボビン６０を中央磁極５１ｂに装着した後、漏洩磁束を減少させるために図３に示すように前記中央磁極５１ｂの先端部を両側に押し広げ、また、側磁極５１ｃ、５１ｃの先端部を中央磁極５１ｂ側に押し広げてある。このことによってボビン６０の中央磁極５１ｂからの離脱の防止もできるようになっている。
【００４６】
そして、この励磁コイル７０が巻装されたボビン６０を装着した積層鉄心５０は、その積層方向を図３において紙面と直交する方向（図１、図２および図４では積層方向は上下方向となっている）として前記鉄心収納室９０に収納し、この収納された状態では前記係合凸部５２が前記鉄心収納室９０に収納され、この収納された状態では前記係合凸部５２が前記鉄心収納室９０つまり左ケース２０の一方側９０ａおよび右ケース３０の他方側９０ｂのそれぞれに形成された係合凹部９０ｃに係合し、積層鉄心５０は鉄心収納室９０つまり左ケース２０および右ケース３０からなる主ケース１０内に確実に位置決めされて収納されるものである。そして、両積層鉄心５０、５０が鉄心収納室９０に収納された状態では、中央磁極５１ｂ、中央磁極５１ｂの両側に位置する側磁極５１ｃ、５１ｃとは互いに対向するとともに、所定距離離間して所定の間隔Ｇが形成されている。
【００４７】
つぎに、前記左ケース２０の開口２０ｆおよび右ケース３０の開口３０ｆに設けられるダイヤフラム９５について説明する。なお、両ダイヤフラム９５は同一構成となっている。これらそれぞれのダイヤフラム９５はゴム等の薄板部材からる円盤状部材９６とこの円盤状部材９６の中央部に設けられた支持板９７とから構成されている。そして、前記円盤状部材９６の外周縁部には前記左ケース２０の開口２０ｆおよび右ケース３０の開口３０ｆの開口縁部に形成された嵌合溝２１および３１に嵌合する前記環状嵌合リブ９６ａが形成され、この嵌合リブ９６ａを前記嵌合溝２１および３１に嵌合させるとともに、前述したように副ケース４０のフランジ部４５と前記開口２０ｆおよび開口３０ｆの開口縁部とで挟持されて開口２０ｆおよび３０ｆに配設されるものである。また、前記支持板９７の中心部には軸孔９７ａが形成されている。
【００４８】
つぎに、前記駆動部としての振動子８０について説明する。
【００４９】
この振動子８０は非磁性材から方形状薄板状に形成された基板部８１、この基板８１に一体的に取り付けられるとともに積層鉄心５０の積層に沿って配置された一対の永久磁石８２および前記基板８１の両端に取り付けられた支持軸８３とから構成されている。そして、前記両支持軸８３を前記ダイヤフラム９５に取り付けられた支持板９７の軸孔９７ａに螺合等により取着することにより、振動子８０は、前記基板８１および永久磁石８２を前記両積層鉄心５０の互いに対向する中央磁極５１ｂおよび側磁極５１ｃ、５１ｃ間に形成された前記間隙Ｇ内に位置させて図において左右方向に往復動可能つまり振動可能に配設されているものである。
【００５０】
そして、前記励磁コイル７０に励磁電流が供給されていない状態つまり非動作状態では、前記基板８１に設けられた一対の永久磁石８２は中央磁極５１ｂとそれぞれの側磁極５１ｃ、５１ｃとの略中間位置に位置するようになっている。
【００５１】
そして、前記励磁コイル７０に交番電流からなる励磁電流が供給されると、この励磁電流によって生じる交番磁界が前記永久磁石８２に作用し前記振動子８０は図において左右方向に振動し、この振動子８０の振動によって前記ダイヤフラム９５が左右方向に振動し、このダイヤフラム９５の振動により吸気口２７を介して吸気室４１に流体が吸入され、ついでこの流体は圧縮室４２に流入しこの圧縮室４２から吐出室４３に吐出され、ついでタンク室９１を介して吐出口２６から外部に吐出されるものである。
【００５２】
つぎに、前記積層鉄心５０に装着される励磁コイル７０およびこの励磁コイル７０が巻装されるボビン６０について説明する。
【００５３】
ボビン６０は合成樹脂等の絶縁材料からなり、図５に示すように内部に挿通孔６１を形成するように断面方形状の周壁６２ａからなる巻枠部６２と、この巻枠部６２の両端部にそれぞれ形成した方形状の鍔部６３および６４とから構成されている。そして、前記一対の鍔部６３および６４のうちの一方の鍔部６３の上縁部は図５に示すように他方の鍔部６４の上縁よりも寸法Ｌだけ大きく形成され、この上縁部の上側には、図５に示すように鍔部６３の上端縁に形成した一対の開口６６ａに連通した略Ｌ字状の係止溝６６が形成されており、この係止溝６６には後述するリード線７７ａ、７７ｂが前記開口６６ａを介して挿入されるようになっており、この係止溝６６にリード線７７ａ、７７ｂが挿入された状態ではリード線７７ａ、７７ｂは鍔部６３の端縁から外側に出ないようになっている。また、前記一対の係止溝６６は鍔部６３の前記挿通孔６１の軸心を中心として一方側（図５においては右側）に偏位させて形成されているものである。この偏位させて形成している理由は、同一形状にボビン６０を形成し前記一方の鍔部６３を互いに対向させて積層鉄心に装着した際に、互いに対向する鍔部６３に形成した前記係止溝６６が連通している開口６６ａをボビン６０の挿通孔６１の軸方向に沿う同一直線上に位置させないようにするためであり、これにより係止溝６６に挿入されているリード線７７ａ、７７ｂが図において上方に力を受けたとしても開口６６ａから離脱させないようにするためである。
【００５４】
なお、この係止溝６６の形状はＬ字状に限定されるものではなく例えばＴ字状の形状としてもよいものであるが、Ｌ字状として形成した場合は形成される係止溝の横方向に占める領域を小さくできることからボビン６０の形状を小さくできるという利点がある。
【００５５】
また、前記他方の鍔部６４の外側つまり巻枠部６２側と反対側の壁面６４ａには後述する接続端子７５を挿入して取着する挿入穴６５ａを有する一対の端子取付部６５ｂが設けられており、この端子取付部６５ｂの内側壁にはＶ字状溝６５ｃが形成されている。
【００５６】
また、前記他方の鍔部６４の外側壁面６４ａつまり前記一対の端子取付部６５ｂのそれぞれには、その側面に先端部６７ａを互いに対向させるとともに両先端部６７ａを所定距離離間せさて、両端子接続部６５ｂの略中間部の部位に位置した挿入口６８を形成したリード線係止部材としての一対のリード線係止片６７が設けられている。このリード線係止片６７は後述する励磁コイル７０のコイル巻線７１の巻き終り端部７２ｂに接続されたリード線７７ｂ、７７ｃの自由端側を係止してこの自由端の所定以上の動きを規制するものである。
【００５７】
そして、上記のように構成されたボビン６０の巻枠部６２には、図６に示すようにコイル巻線７１を所定回数して巻回することにより構成された励磁コイル７０が巻装され、また、前記コイル巻線７１の巻き始め端部７２ａと巻き終り端部７２ｂとにそれぞれ接続端子７５を接続し、これら接続端子７５の先端部を前記挿入穴６５ａ内に挿入することにより、接続端子７５は端子取付部６５取り付けられるものであり、これら接続端子７５の挿入の際にこれら接続端子７５と接続されている前記コイル巻線７１の巻き始め端部７２ａと巻き終り端部７２ｂは前記Ｖ字状溝６５ｃ内に固定されるようになっている。
【００５８】
なお、図６に示すように前記リード線７７ａは一方（図６では左側）のボビン６０に巻装されたコイル巻線７１の巻き始め端部７２ａと他方（図６では右側）のボビン６０に巻装されたコイル巻線７１の巻き始め端部（不図示）とを接続するものであり、また、リード線７７ｂは一方のボビン６０に巻装されたコイル巻線７１の巻き終り端部７２ａに接続されるものである。また、リード線７７ｃは他方のボビン６０に巻装されたコイル巻線７１の巻き終り端部（不図示）に接続されるものである。
【００５９】
そして、このように励磁コイル７０が巻装されたボビン６０は、前記それぞれの積層鉄心５０の中央磁極５１ｂを、その挿通孔６１に挿入して積層鉄心５０に装着されるものである。そして、このボビン６０の積層鉄心５０への装着は、図７に示すように両積層鉄心５０の互いに対向する中央磁極５１ｂの先端部側に前記一方の鍔部６３がそれぞれ位置するようにしてなされるものである。つまりボビン６０が装着された一対の積層鉄心５０を本体ケース１０の鉄心収納室９０に収納した状態では、前記ボビン６０の一方の鍔部６３が互いに対向するようになっている。また、前記一方の鍔部６３は互いに対向していることから、それぞれ一方の鍔部６３に形成されている前記開口６６ａは挿通孔６１の軸方向に沿う同一直線上には位置しない位置関係となっているものである。
【００６０】
つぎに、励磁コイル７０を巻装したボビン６０の積層鉄心５０への装着およびボビン６０を装着した積層鉄心５０を本体ケース１０の鉄心収納室９０への収納つまり取付けはつぎのようにしてなされる。
【００６１】
まず、ボビン６０に励磁コイル７０を巻装した後、ボビン６０を一方の鍔部６３が前記それぞれ積層鉄心５０の中央磁極５１ｂの先端側に位置するようにして積層鉄心５０に装着する。つぎに、両積層鉄心５０の一側側の一部を左ケース２０に嵌合して両積層鉄心５０を左ケース２０に仮固定状態として取付ける。
【００６２】
そして、この状態で図６、図７に示すように前記リード線７７ａは、両端を両励磁コイル７０のコイル巻線７１の巻き始め端部７２ａとともに接続端子７５によって接続されて、この接続端子７５を両ボビン６０の他方の鍔部６４に設けた端子取付部６５ｂ、６５ｂに取付けられるとともに、リード線７７ａの中間部を互いに対向している一方の鍔部６３、６３の各係止溝６６に収納して配線処理される。そして、配線処理された状態ではリード線７７ａは鍔部６３の外周縁から出ることがない。また、リード線７７ｂは、一端を一方（図６、図７において左側）のコイル巻線７１の巻き終り端部とともに接続端子７５によって接続されて、この接続端子７５を前記一方のボビン６０の他方の鍔部６４に設けた端子取付部６５に取付けられるとともに、他方の端部つまり自由端は前記挿入口６８から挿入されて前記他方（図６、図７において右側）のボビン６０のリード線係止片６７に係止されるとともに、中間部は互いに対向している一方の鍔部６３、６３の各係止溝６６に収納されて配線処理される。そして、配線処理された状態ではリード線７７ｂは鍔部６３の外周縁から出ることがなく、また、自由端は前記リード線係止片６７に係止されて所定以上の動きが規制されるようになっている。また、前記リード線７７ｃは、一端を他方の励磁コイル７０のコイル巻線７１の巻き終り端部（不図示）とともに接続端子７５によって接続されて、この接続端子７５を前記他方のボビン６０の他方の鍔部６４に設けた端子取付部６５に取付けられるとともに、自由端は前記リード線係止片６７に係止されて所定以上の動きが規制されて配線処理される。
【００６３】
そして、このように配線処理された状態の両積層鉄心５０を左ケース２０の鉄心収納室９０の一方側９０ａ内に嵌合し、ついで、両積層鉄心５０の他方側を前記右ケース３０の鉄心収納室９０の他方側９０ｂ内に嵌合し、ついで左ケース２０と右ケース３０を前記ねじ５ａによって結合する。そして、この主ケース１０の励磁コイル７０を巻装したボビン６０を装着した両積層鉄心５０を鉄心収納室９０に収納する際には、前記各リード線７７ａないし７７ｃが上述のようにボビン６０に対して配線処理されるものであることから、リード線７７ａないし７７ｃの配線処理が容易となり配線処理を含む組立工数の低減が図れ、また、リード線７７ａないし７７ｃの中間部がボビンの鍔部６３の外周縁から突出つまり出ることがないため、組み立て時にリード線７７ａないし７７ｃが主ケース１０の内壁等に引っ掛かることはなくリード線７７ａないし７７ｃを介して接続端子７５とリード線７７ａないし７７ｃとの接続部に応力が加わることを防止できることからこの接続部の破損を防止できるものである。
【００６４】
また、ボビン６０の他方の鍔部６４の側壁６４ａに、前記両端子取付部６５の略中間を挿入口６８とした一対のリード線係止片６７を設け、このリード線係止片６７にリード線７７ｂ、７７ｃの自由端側を係止するようにしたことから、前記自由端が所定以上動くことが規制されるために、リード線７７ｂ、７７ｃを介して接続端子７５への外力が加わることが防止されて接続端子７５の端子取付部６５からの離脱あるいはリード線７７ｂ、７７ｃと接続端子７５との接続部の破損等の発生を防止できるものである。
【００６５】
また、一対のボビン６０は積層鉄心５０の中央磁極５１ｂに直線的な位置関係として、一方の鍔部を互いに離間対向させてボビン６０を装着されているものの、前記対向する鍔部６３の周縁に形成した開口６６ａを前記挿通孔６１の軸方向に沿う同一直線上に位置させない位置関係としたことから係止溝６６に挿入されたリード線７７ａ、７７ｂの係止溝６６からの離脱を確実に防止できるものである。
【００６６】
そして、電磁ポンプＡの組立は、上述したように励磁コイル７０を巻装したボビン６０を装着した一対の積層鉄心５０を主ケース１０の鉄心収納室９０に収納した後、互いに対向した中央磁極５１ｂおよび側磁極５１ｃ、５１ｃとの間に形成されている間隙Ｇに前記振動子８０を位置させて、前記ダイヤフラム９５を左ケース２０および右ケース３０の開口２０ｆおよび３０ｆに取付け、ついで前記開口２０ｆおよび３０ｆを覆うようにして前記副ケース４０をそれぞれ主ケースの左右つまり左ケース２０と右ケース３０にねじ５ｂによって取付けることによってなされる。
【００６７】
そして、前記リード線７７ｂ、７７ｃは図１に示すように主ケース１０から外部に引き出され、その先端には図示しない交流電源等の電源に接続するためのコネクター７８が接続されている。
【００６８】
つぎに、上記のように構成された電磁式ポンプ１の動作を図２を参照して説明する。なお、吸入室４１、圧縮室４２および吐出室４３等の構成および動作は左右とも同一であるので、ここではその一方である右側の吸入室４１、圧縮室２２および吐出室４３等についてのみ説明し、左側については説明を省略する。
【００６９】
まず、前記コネクター７８を介して図示しない交流電源から励磁コイル７０に励磁電流として交番電流を供給すると、交番磁界が発生しこの交番磁界が前記積層鉄心５０の磁極つまり中央磁極５１ｂ、両側磁極５１ｃを介して振動子８０の永久磁石８２に作用して、前記振動子８０は図において左右方向に振動つまり往復動する。そして、今交番磁界により、振動子８０が図において左側に移動したとすると、ダイヤフラム９５も図において左側に移動し、その結果前記圧縮室４２の容積は拡大する。そして、この拡大に伴って圧縮室４２の圧力が低下するため、開閉弁４１ｂは貫通孔４１ａを開き、また、開閉弁４３ａは貫通孔４３ｂを閉じるように動作し、連通孔４５ａ、３５、鉄心収納室９０、連通孔２５、４５ａを介して前記吸入口２７に連通している吸入室４１（左側の吸込室４１は直接吸入口２７に連通している）を通して外部から外気等の流体が圧縮室４２内に流入する。
【００７０】
つぎに、交番磁界の極性が変り、振動子８０が図において右側に移動したとすると、ダイヤフラム９５は図において右側に移動し、その結果前記圧縮室４２の容積は縮小して、圧縮室４２の圧力が高くなるため開閉弁４１ｂは点線で示すように貫通孔４１ｂを閉じて吸気室４１から圧縮室４２への流入は遮断され、また、開閉弁４３ｂは貫通孔４３ａを同じく点線で示すように開くように動作し、圧縮室４２内の流体は前記貫通孔４３ａ、連通孔４８ｂ、連通孔３４を経てタンク室９１内に流入し、ついで前記吐出口２６から吐出される。
【００７１】
このように前記励磁コイル７０に供給される交流電流に応じて発生する交番磁界によって左右方向に振動する振動子８０の振動により上記動作が繰り返され、流体は前記主ケース１０つまり左ケース２０の側壁２０ｃに設けられた吸入口２７から吸入されて吸入室４１、貫通孔４１ａ、圧縮室４２、貫通孔４３ａ、タンク室９１を介して吐出口２６から吐出される。
【００７２】
なお、上記実施の形態では、ダイヤフラム部材を構成するダイヤフラム４０を振動子５０の両側に設ける構成としたが、これは一方のみに設ける構成としてもよいものである。
【００７３】
また、上記電磁式ポンプを液体を吸入、吐出するようにする場合は、積層鉄心３０、駆動コイル３２を防水膜で覆うようにすればよい。
【００７４】
なお、上記実施の形態においては、電磁機器を電磁式ポンプとしたことから一対のボビン６０を互いに一方の鍔部６３を対向して積層鉄心５０の中央磁極５１ｂに装着するようにした場合について説明したが、これは例えば電磁弁のように一つの磁極に一つのボビンを装着して用いて励磁部を構成するようにした場合は、図８に示すように上記実施の形態と同様にボビン６０の一方の鍔部６３に、この鍔部６３に同様に形成した一対の開口６６ａに連通する一対の係止溝６６を形成し、他方の鍔部６４に挿入穴６５ａを有する一対の端子取付部６５ｂを設けるとともに、励磁コイル７０のコイル巻線７１の巻き始め端部７２ａと巻き終り端部７２ｂとをそれぞれリード線７７ａおよび７７ｂの一端が接続された接続端子７５により接続し、これら接続端子７５の先端部を挿入穴６５ａに挿入して端子取付部６５ｂを取り付け、そして、前記リード線７７ａ、７７ｂを前記係止溝６６に挿入して、リード線７７ａ、７７ｂの配線処理するようにすればよいものである。
【００７５】
このように、一つのボビンを用いる場合においても、ボビン６０の一方の鍔部６３に周縁に形成した開口６６ａに連通する係止溝６６を形成し、他方の鍔部６４に端子取付部６５を形成し、励磁コイル７０のコイル巻線７１の巻き始め端部７２ａと巻き終り端部７２ｂと、リード線７７ａ、７７ｂの一端とを接続端子７５によって接続し、この接続端子７５を前記端子取付部６５ｂに取付けるとともに、リード線７７ａ、７７ｂを前記係止溝６６に挿入して係止して配線処理をすることにより、配線処理を含めて組立工数の低減が図れるとともに前記係止溝６６による係止と端子取付部６５ｂでの接続端子７５の固定とによりリード線７７ａ、７７ｂの配線処理は容易かつ確実にでき、また、リード線７７ａ、７７ｂがボビン６０の鍔部６３の外周縁から突出することがないため、組み立て時にリード線７７ａ、７７ｂが主ケース１０の内壁等に引っ掛かることはなくリード線７７ａ、７７ｂを介して接続端子６５の接続部に応力が加わることによる起因して前記接続部の破損と等を防止できるものである。
【００７６】
また、図８に示すようにボビンを構成した場合は、同図に二点鎖線で示すように、挿入口６９ａを形成するようにしてリード線係止片６９を一方の鍔部６３に形成するようにすれば、前記リード線７７ａ、７７ｂの自由端の動きを規制できることからリード線７７ａ、７７ｂと接続端子との接続部の破損をさらに確実に防止できる等の利点がある。
【００７７】
なお、一つのボビン６０を用いる場合においては、コイル巻線７１の巻き始めおよび巻き終りを一方の鍔部６３側に位置させるようにした場合は、このコイル巻線７１巻き始め端部および巻き終り端部を直接リード線に接続するとともに、このリード線を前記係止溝６６に係止させて配線処理することにより、他方の鍔部６４に設けた端子取付部５６ｂは省略できるものであり、このようにした場合においてもリード線は係止溝６６によって係止されて配線処理されることから、同様に配線処理が容易にできることから配線処理を含む組立工数の低減が図れるものである。
【００７８】
つまり、一方の鍔部６３に係止溝６６を形成することのみによっても配線処理が容易にできることから配線処理を含む組立工数の低減が図れるものである。
【００７９】
また、上記実施の形態は本発明を電磁機器の一つである電磁式ポンプに適用した場合であるが、これは、電磁弁あるいは照明器具の点灯装置に用いられる安定器等他の電磁機器にも適用できるものであり、この場合上記実施の形態の場合と同様な効果を奏することができるものである。
【００８０】
【発明の効果】
請求項１記載の発明は、コイルボビンの一方の鍔部に、周縁に形成した開口に連通する係止溝を形成し、他方の鍔部にコイル巻線の端部を接続する接続端子を取り付ける端子取付部を設け、前記係止溝にコイル巻線に接続されたリード線を係止するとともに、このリード線と接続された接続端子を端子取付部に取り付けることによりリード線の配線処理をするようにしたことから、リード線の配線処理が確実かつ容易となり配線処理工数を含む組立工数の低減が図れ、また、リード線がボビンの鍔部の外周縁から突出することがないため、本体ケースへの組み立て時にリード線が本体ケースの内壁等に引っ掛かることはなく組立時の作業性の向上が図れるとともに、リード線を介して接続端子の接続部に応力が加わることに起因するリード線と接続端子との接続部の破損等を防止できるという効果を有するものである。
【００８２】
また、請求項２記載の発明は、請求項１の発明において、前記コイルボビンの他方の鍔部の巻枠部側との反対側の側壁に、前記両端子取付部の略中間を挿入口としたことから、請求項１記載の発明にの効果に加えて、コイルボビンの他方の鍔部の側壁に、前記両端子取付部の略中間部の部位を挿入口とした一対のリード線係止片を設け、このリード線係止片にリード線の自由端側をけ係止すようにしたことから、前記自由端が所定以上動くことに起因してリード線を介して接続端子への外力が加わることを防止して接続端子の端子取付部からの離脱あるいはリード線と接続端子との接続部の破損等の発生を防止できるという効果を有するものである。
【００８３】
請求項３記載の発明は、請求項１又は請求項２記載の発明において、二つのコイルボビンを係止溝を設けた鍔部を互いに対向させて積層鉄心の磁極を挿入して装着するとともに、前記一方の鍔部の周縁に形成した開口を前記挿通孔の軸方向に沿う同一直線上に位置させない位置関係として形成したことから、請求項１又は請求項２記載のそれぞれの発明の効果に加えて、係止溝に挿入されて係止されたリード線の前記各開口からの離脱を確実に防止して係合溝への係止状態を確実に維持できるという効果を有するものである。
【００８４】
また、請求項４記載の発明は、本体ケース内にダイヤフラムを設けた圧縮室と鉄心収納室を形成し、前記本体ケース内に、一対の積層鉄心、コイルボビン、及び励磁コイルを備える励磁部と、前記積層鉄心の両磁極間に配設される永久磁石を備えた振動子からなる駆動部とを配設し、前記駆動部を少なくとも一端部を前記ダイヤフラムに取着し、前記励磁コイルに励磁電流を供給して前記振動子を往復振動させて前記ダイヤフラムを駆動する電磁式ポンプであって、前記励磁部及び駆動部が、請求項１ないし請求項３の内のいずれか１項に記載の電磁機器をなしていることを特徴とする電磁式ポンプであるから、電磁機器である電磁式ポンプにおいて、請求項１ないし請求項３記載のそれぞれの発明の効果に加えて、一対の積層鉄心の離間している磁極にそれぞれ装着されて互いに離間している両コイルボビン間におけるリード線を所定の状態に容易かつ確実に配線処理できるという効果を有するものである。
【図面の簡単な説明】
【図１】本発明の実施の形態を示す電磁式ポンプの斜視図。
【図２】上記電磁式ポンプの一部を断面した断面図（図１におけるＡ−Ｂ−Ｃ−Ｄ線での断面図）。
【図３】上記電磁式ポンプの断面図（図１におけるＸ−Ｘ線での断面図）。
【図４】上記電磁式ポンプの一部を断面した断面図（図１におけるＹ−Ｙ線での断面図）。
【図５】上記電磁式ポンプのコイルボビンの斜視図。
【図６】上記電磁式ポンプのコイルボビンのリード線の配線処理状態を示す斜視図。
【図７】上記電磁式ポンプのコイルボビンのリード線の配線処理状態を示す平面図。
【図８】本発明におけるコイルボビンの他の配線処理の実施の形態を示す斜視図。
【図９】従来の電磁式ポンプの断面図。
【図１０】上記従来の電磁式ポンプのコイルボビンの斜視図。
【図１１】上記従来の電磁式ポンプのリード線の配線処理状態を示す斜視図。
【符号の説明】
Ａ        電磁式ポンプ
１        本体ケース
１０      主ケース（本体ケースの一部）
２０      左ケース（本体ケースの一部）
３０      右ケース（本体ケースの一部）
４１      吸入室
４２      圧縮室
４３      吐出室
５０      積層鉄心（励磁部の一部）
５１ａ    ヨーク部
５１ｂ    中央磁極
５１ｃ    側磁極
６０      コイルボビン（励磁部の一部）
６１      挿通孔
６３      一方の鍔部
６４      他方の鍔部
６５ｂ    他方の鍔部に設けた端子取付部
６６      係止溝
６６ａ    一方の鍔部に設けた開口
６７      リード線係止片（リード線係止部材）
６８      挿入口
７０      励磁コイル
７１      コイル巻線
９０      鉄心収納室
９５      ダイヤフラム
【図１】
0003545898.tif 000002
【図２】
0003545898.tif 000003
【図３】
0003545898.tif 000004
【図４】
0003545898.tif 000005
【図５】
0003545898.tif 000006
【図６】
0003545898.tif 000007
【図７】
0003545898.tif 000008
【図８】
0003545898.tif 000009
【図９】
0003545898.tif 000010
【図１０】
0003545898.tif 000011
【図１１】
0003545898.tif 000012